(57)【要約】      （修正有）【課題】ペン先の乾燥防止機構を有すると共に先端開口からの埃等の異物の侵入を防止できるキャップレス筆記具を提供する。【解決手段】軸筒２の先端側部に支持部を設け、軸筒の先端内部に設けたインナーキャップ５が前記支持部に支持され回動することで前記先端開口を開閉する。又、前記インナーキャップには突起部が設けられていると共に、インナーキャップは戻しばね７により回動の一方向に弾発付勢され通常は先端開口を閉塞していて、前記突起部が前記筆記体の先端部に押圧されることでインナーキャップは前記戻しばねの弾発に反発しながら回動をして軸筒の先端開口が開放され、ペン先部の突出が可能となる。更にインナーキャップの突起部が筆記体の先端部の押圧から開放されると、インナーキャップは戻しばねの弾発により逆回動をして先端開口を閉塞し軸筒の内部に密閉空間が形成される。【選択図】図１
2011042082.tif 000002
【特許請求の範囲】
【請求項１】
筆記体が軸筒内に配置され、軸筒の先端開口より筆記体のペン先部が出没自在に構成されるキャップレス筆記具において、前記軸筒の先端側部に支持部を設け、軸筒の先端内部に設けたインナーキャップは前記支持部に支持され回動をしながら軸筒の先端内側面に密着摺動をして前記先端開口を開閉し、前記インナーキャップには突起部が設けられていると共に、インナーキャップは戻しばねにより回動の一方向に弾発付勢され通常は先端開口を閉塞していて、前記突起部が前記筆記体の先端部に押圧されることでインナーキャップは前記戻しばねの弾発に反発しながら回動をして軸筒の先端開口が開放され、ペン先部の突出が可能となり、インナーキャップの突起部が筆記体の先端部の押圧から開放されると、インナーキャップは戻しばねの弾発により逆回動をして先端開口を閉塞し埃等の異物の侵入を防止すると共に軸筒の内側面と筆記体の外側面とが密着摺動をして軸筒の内部に密閉空間を形成できることを特徴とするキャップレス筆記具。
【請求項２】
前記インナーキャップは中空球体の部分形状を成し、該インナーキャップは中空球体の求心を通る直線が貫く前記中空球体の双方の側部に軸受を有していて、双方の該軸受を基に回動自在で前記軸筒の先端内側面に密着摺動をして先端開口を開閉することを特徴とする請求項1記載のキャップレス筆記具。
【請求項３】
前記軸筒の先端側部の支持部は軸筒の軸心に直交した直線が貫く軸筒の双方の先端側部に固定軸を有し、該固定軸を支持軸として前記インナーキャップの双方の軸受を支持し、インナーキャップは回動自在であることを特徴とする請求項1記載のキャップレス筆記具。
【請求項４】
前記戻しばねは前記インナーキャップの軸受を中心位置としたループ状のばねで、インナーキャップの回転方向を一方向に弾発付勢していて、戻しばねの一端はインナーキャップ側に嵌止され、もう一端は軸筒の先端内側に嵌止されていることを特徴とする請求項1記載のキャップレス筆記具。
【請求項５】
前記戻しばねにより回転方向の一方向に弾発付勢されている前記インナーキャップが通常時は先端開口を閉塞維持するための係止部を軸筒の先端内側に設けていることを特徴とする請求項1記載のキャップレス筆記具。
【請求項６】
前記突起部がスライドピンとして前記インナーキャップに付設され、前記スライドピンはインナーキャップに設けたガイド穴に挿入保持されてガイド穴を移動自在で、前記スライドピンの後端を押圧するとスライドピンの先端が軸筒の先端内側面に当接しながら前記支持軸を基にインナーキャップが回動することを特徴とする請求項1記載のキャップレス筆記具。
【請求項７】
前記インナーキャップが回転して先端開口を完全に開いた状態に至ると、軸筒の先端内側に設けた係止窪みに前記スライドピンの先端が嵌って、スライドピンが係止することでスライドピンを保持するインナーキャップの回転が停止することを特徴とする請求項1記載のキャップレス筆記具。
【請求項８】
前記筆記体の先端部に前記スライドピンを押圧する係止部を備え、更にスライドピンの先端が前記係止窪みに嵌るとスライドピンの後端は係止部を外れ筆記体の先端部の側面に当接して、インナーキャップが先端開口を完全に開いた状態を維持することを特徴とする請求項1記載のキャップレス筆記具。
【請求項９】
前記先端開口を開閉する前記インナーキャップの外周面と前記軸筒の先端内側面とが密着摺動するためにインナーキャップの外周面と先端開口の内側面の両面或いは何れか片方の面に気密処理を施していること、又互いに密着摺動する前記軸筒の内側面と前記筆記体の外側面の両面或いは何れか片方の面に気密処理を施していることを特徴とする請求項1記載のキャップレス筆記具。
【請求項１０】
前記軸筒の先端内側面に前記先端開口を中心にOリングを付設し、更に前記筆記体の外側面の周囲にOリングを付設することを特徴とする請求項1記載のキャップレス筆記具。
【発明の詳細な説明】
【技術分野】
【０００１】
本発明は出没式筆記具に関し、特にペン先の乾燥防止機構を有するキャップレス筆記具に関する。
【背景技術】
【０００２】
従来、水性や油性のマーキングペンや万年筆などの筆記具においては、筆記部の先端であるペン先のインキが乾燥して筆記不能になることを防止するために、先端部を密閉するためのキャップを備えるものが一般的に用いられている。また、上記のようにキャップを備えた筆記具の場合には、頻繁に使用する際に、使用するたびにキャップを着脱する必要があり面倒である事から、別体のキャップを不要とした、いわゆるキャップレスの筆記具が多く提案されている。
【０００３】
例えば特開2005-22138号公報に開示されている出没式筆記具では、軸筒の先端開口にゴム材または弾性樹脂材で形成されるインナーキャップを備え該インナーキャップの中心部にスリットが形成されていて該スリットを筆記体のペン先部が出入自在で、非使用時にはインナーキャップは閉じて先端開口が閉塞することでペン先の乾燥を防止する機能を有するものである。
【０００４】
また、特開2005-246971号公報に開示されている出没式筆記具では筆記体に連動した軸筒の先端開口を開閉するボール状ドアを設けペン先が先端開口より没入すると前記ボール状ドアが回転してボール状ドアの外周面が先端開口の内面を摺動することで先端開口を閉じる機構になっている。
【発明の概要】
【発明が解決しようとする課題】
【０００５】
しかしながら特開2005-22138号公報に開示されている出没式筆記具においてはペン先部がスリット部に直に押当たるために、頻繁な使用によるスリット部の塑性変形や弾性変形の恐れがあり、密閉効率が下がり機密性が低下する恐れがある。
又機構上、先端開口の内部空間が広くなり開口からの埃等の異物が入り易く更に機密性が低下する恐れがある。
【０００６】
更に特開2005-246971号公報に開示されている出没式筆記具においてはボール状ドアがばねで押圧されているため先端開口側よりばねの弾発に対抗する力が加わると先端開口の内面とボール状ドアの摺動面に隙間ができて埃等の異物が入り易く密閉状態が維持できなくなる恐れがある。
又機構上、部品点数が多くなってコスト高になるといった欠点がある。
【課題を解決するための手段】
【０００７】
本発明は、上記課題を解決するためになされたもので、筆記体が軸筒内に配置され、軸筒の先端開口より前記筆記体のペン先部が出没自在に構成されるキャップレス筆記具において、前記軸筒の先端側部に支持部を設け、軸筒の先端内部に設けたインナーキャップが前記支持部に支持され回動することで前記先端開口を開閉する。又、前記インナーキャップには突起部が設けられていると共に、インナーキャップは戻しばねにより回動の一方向に弾発付勢され通常は先端開口を閉塞していて、前記突起部が前記筆記体の先端部に押圧されることでインナーキャップは前記戻しばねの弾発に反発しながら回動をして軸筒の先端開口が開放され、ペン先部の突出が可能となる。更にインナーキャップの突起部が筆記体の先端部の押圧から開放されると、インナーキャップは戻しばねの弾発により逆回動をして先端開口を閉塞し埃等の異物の侵入を防止すると共に軸筒の内側面と筆記体の外側面とが密着摺動をして軸筒の内部に密閉空間が形成されるキャップレス筆記具。
【０００８】
以下（1）〜（9）に、部位、部品の具体的な手段例について説明する。
（1）前記インナーキャップは中空球体の部分形状をしていて、インナーキャップは中空球体の求心を通る直線が貫く前記中空球体の双方の側部に軸受を有していて、双方の該軸受を基に回動自在で前記軸筒の先端内側面に密着摺動をして先端開口を開閉するキャップレス筆記具。
（2）前記軸筒の先端側部の支持部は軸筒の軸心に直交した直線が貫く軸筒の双方の先端側部に固定軸を有していて、該固定軸を支持軸として前記インナーキャップの双方の軸受を支持し、インナーキャップが回動自在なキャップレス筆記具。
（3）前記戻しばねは前記インナーキャップの軸受を中心位置としたループ状のばねで、インナーキャップの回転方向を一方向に弾発付勢していて、戻しばねの一端はインナーキャップ側に嵌止され、もう一端は軸筒の先端内側に嵌止されるキャップレス筆記具。
（4）前記戻しばねにより回転方向の一方向に弾発付勢されている前記インナーキャップが通常時は先端開口を閉塞維持するためのストッパーを軸筒の先端内側に設けているキャップレス筆記具。
（5）前記突起部がスライドピンとして前記インナーキャップに付設され、前記スライドピンはインナーキャップに設けたガイド穴に挿入保持されてガイド穴を移動自在で、前記スライドピンの後端を押圧するとスライドピンの先端が軸筒の先端内側面に当接しながら前記支持軸を基にインナーキャップが回動するキャップレス筆記具。
（6）前記インナーキャップが回転して先端開口を完全に開いた状態に至ると、軸筒の先端内側に設けた係止窪みに前記スライドピンの先端が嵌って、スライドピンが係止することでスライドピンを保持するインナーキャップの回転が停止するキャップレス筆記具。
（7）前記筆記体の先端部に前記スライドピンを押圧する係止部を備え、更にスライドピンの先端が前記係止窪みに嵌るとスライドピンの後端が係止部を外れ筆記体の先端部の側面に当接して、インナーキャップが先端開口を完全に開いた状態を維持するキャップレス筆記具。
（8）前記先端開口を開閉する前記インナーキャップの外周面と前記軸筒の先端内側面とが密着摺動するためにインナーキャップの外周面と先端開口の内側面の両面或いは何れか片方の面に気密処理を施していること、又互いに密着摺動する前記軸筒の内側面と前記筆記体の外側面の両面或いは何れか片方の面に気密処理を施しているキャップレス筆記具。
（9）前記軸筒の先端内側面に前記先端開口を中心にOリングを付設し、更に前記筆記体の外側面の周囲にOリングを付設するキャップレス筆記具。
【発明の効果】
【０００９】
ペン先の揮発及び乾燥の防止効果が高く、又先端開口からの埃等の異物の侵入を防止でき、機構が単純で部品点数が少なく製造コストが安い。
【図面の簡単な説明】
【００１０】
【図１】本発明の分解図
【図２】本発明の非使用状態を示す拡大断面図
【図３】本発明の非使用状態で、Oリングを用いた場合の拡大断面図
【図４】、
【図５】、
【図６】、
【図７】本発明の非使用状態から使用状態に至るまでの部分断面図で（a）は左側面図、（b）は正面図、（c）は右側面図
【発明を実施するための形態】
【００１１】
以下、本発明の実施の形態について図面を基に説明する。
図1、図2、図3に示すようにキャップレス筆記具1の構成は軸筒2、筆記体8、係止キャップ9、押しばね10、更に軸筒先3の内部に収容装備されたインナーキャップ5、支持軸4、戻しばね7、スライドピン6、Oリング11及び12に大別される。
文中に軸筒2に対し筆記体8の移動方向として前後方向関係を著す事象において、前方向は筆記体8ペン先方向を意味し、後方向は該ペン先方向に対し逆方向を意味する。
【００１２】
まず実施例の詳細構成を説明すると、インナーキャップ5は中空球体の部分形状を成していて双方の軸受部5b及び5cとシャッター部5aより構成されていて、前記中空球体の求心を通る直線が中空球体を貫く双方に軸受穴5d及び5eを双方の軸受部5b及び5cの中央位置に有している。
【００１３】
軸筒2の軸心に直交する直線が軸筒先3の側部を貫く双方の軸固定穴3a及び3bに固定されるそれぞれの軸が支持軸4として前記インナーキャップの双方の軸受穴5d及び5eを支持しインナーキャップ5は回動自在で、先端開口3eを開閉する。
【００１４】
戻しばね7は円形状をしていて軸受部5cの軸受穴5eを中心位置として軸受部5cの外側面に設けて、インナーキャップ5を回転方向の一方向に反発付勢していて、戻しばね7の一端は軸筒先3のばね係止孔3gに嵌止され他の一端は軸受部5cのばね係止孔5gに嵌止されている。
【００１５】
スライドピン6は軸受部5bの軸受穴5dに平行に設けたガイド穴5fを移動自在に保持されていて、スライドピン6の先端は軸筒先3の内側面に当接した状態でスライドピン6の後端が筆記体8の先端部8mのピン押圧面8gに押圧されてインナーキャップ5は回転する。
【００１６】
インナーキャップ5のシャッター部5aが先端開口3eを完全に開放する位置で軸筒先3の内側面3fの係止窪み3cにスライドピン6の先端が嵌り、スライドピン6の後端は筆記体8のピン押圧面8gから外れて筆記体先部8cに当接係止されシャッター部5aは先端開口3eを開放維持する。
【００１７】
軸筒2は軸筒先3を先端部とした一体形で、インナーキャップ5が回転した時にシャッター部5aの外周面5hが軸筒先3の内側面3fを密着摺動する。
軸筒2の内部に押しばね10と筆記体8が装入され係止キャップ9のキャップねじ9bと軸筒2の止ねじ2iとが嵌止めされていて、押しばね10の一端が軸筒2のばね係止部2fに当接しもう一端が筆記体8のばね係止部8jに当接し、又、筆記体8の係止段部8eと係止キャップ9の係止面9dとが当接して筆記体8は押しばね10の弾発により後方へ付勢係止されている。
又、軸筒2のガイド溝2jには筆記体8のガイド突部8fが嵌っていて、ガイド溝2jに沿ってガイド突部8fがスライドして筆記体8は前後に直進する。
筆記体8が前進完了位置で筆記体8の弾性体8i1の端部である係止突部8i2が軸筒2の係止穴2hに嵌り筆記体8は係止される。
【００１８】
まず図2又は図3に示すように押しばね10の弾発で筆記体8が後方に付勢されて筆記体8のノック部8dがキャップ穴9aより突出している。図4〜図7は非使用状態から使用状態に至るまでの部分断面図で、図4に示すように戻しばね7の弾発によりインナーキャップ5のャッター部5aはシャッターストッパー3dで付勢係止され軸筒2の先端開口3eを閉塞維持している。
【００１９】
ノック部8ｄのノック面8lを押すと筆記体8は押しばね10に反発対抗しながら前進して、図5に示すようにピン押圧面8gがインナーキャップ5にスライド保持されたスライドピン6の後端を押して支持軸4を基にインナーキャップ5は戻しばね7に反発しながら先端開口3eを開放する方向に回転する。
【００２０】
ノック面8dを更に押し続けると、図6に示すようにシャッター部5aが軸筒2の先端開口3eを開放すると共にスライドピン6の先端が軸筒先3の内側面3fの係止窪み3cに嵌り、スライドピン6の後端は筆記体8のピン押圧面8gから外れて筆記体先部8cの側面に当接係止されインナーキャップ5は係止維持されて、図7に示すように開放された先端開口3eよりペン先部8mが突出する。
【００２１】
又、軸筒2の突出系止部2gと筆記体8の突出係止部8kとが当接して筆記体8は前進係止されると共に、軸筒2の後部内側面2aに当接反発している筆記体8に設けた弾性体8i1の端部に備えた係止突部8i2が軸筒2の係止穴2hに嵌止されることで、ノック面8lの押圧を解除しても筆記体8は係止維持されてキャップレス筆記具1の使用が可能になる。
【００２２】
使用状態から非使用状態に戻るまでの操作及び動作を説明すると、軸筒2の係止穴2hに嵌った筆記体8の係止突部8i2を押し込むと係止穴2hより係止突部8i2が外れて押しばね10の弾発により筆記体8は瞬時後退し、ペン先8hが先端開口3eより没入して筆記体8の係止段部8eが係止キャップ9の係止面9dに当接することで筆記体8は係止する。
【００２３】
同時に、スライドピン6の後端はピン押圧面8gからの押圧が開放されてインナーキャップ5は戻しばね7の反発により逆回転を始めて、スライドピン6の先端は軸筒先8の内側面の係止窪み3cから外れ、更にインナーキャップ5は逆回転してシャッター部5aの外周面5hが完全に先端開口を閉塞した位置でシャッター部5aは軸筒先3の内側面3fに設けたシャッターストッパー3dに係止され、更に軸筒内中部2bと筆記体中部8bが常に密着摺動することでペン先周辺の空間は密閉状態となる。
【００２４】
軸筒2の給排気孔2eは筆記体2が前後移動する時に軸筒内中部2bの内部空気圧を常に外気圧に保つことで筆記体2の動作をスムースにしている。
【符号の説明】
【００２５】
1     キャップレス筆記具
2     軸筒
2a    後部内側面
2b    軸筒内中部
2c    軸筒先ガイド
2e    給排気孔
2f    ばね係止部
2g    突出係止部
2h    係止穴
2i    止ねじ
2j    ガイド溝
3     軸筒先
3a    軸固定穴
3b    軸固定穴
3c    係止窪み
3d    シャッターストッパー
3e    先端開口
3f    内側面
3g    ばね係止孔
4     支持軸
5     インナーキャップ
5a    シャッター部
5b    軸受部
5c    軸受部
5d    軸受穴
5e    軸受穴
5f    ガイド穴
5g    ばね係止孔
5h    外周面
6     スライドピン
7     戻しばね
8     筆記体
8a    筆記体後部
8b    筆記体中部
8c    筆記体先部
8d    ノック部
8e    係止段部
8f    ガイド突部
8g    ピン押圧面
8h    ペン先
8i1   弾性体
8i2   係止突部
8j    ばね係止部
8k    突出係止部
8l    ノック面
9     係止キャップ
9a    キャップ穴
9b    キャップねじ
9c    クリップ
9d    係止面
10    押しばね
11    Oリング
12    Oリング
【図１】
2011042082.tif 000003
【図２】
2011042082.tif 000004
【図３】
2011042082.tif 000005
【図４】
2011042082.tif 000006
【図５】
2011042082.tif 000007
【図６】
2011042082.tif 000008
【図７】
2011042082.tif 000009